(57)【要約】    【課題】      各チャネルが基準型チャネル、従属型チャネル、単一レート型チャネルのどのタイプに該当するか予め事前情報を用意することなく各チャネルの送信レート判定及びチャネル復号を行うことができるようにする。    【解決手段】  一部又は全ての送信レートに対するチャネル復号結果に基づき送信レートを判定可能な基準チャネルを選別する基準型チャネル選別部１０４と、基準型チャネル選別部１０４で選別されたチャネルの送信レート判定結果に基づき送信レートを決定可能な従属型チャネルを選別する従属型チャネル選別部１０５と、送信側の選択した送信レートに関わらず常に特定の送信レートでチャネル復号を行う単一レート型チャネルを選別する単一レート型チャネル選別部１０６とを備えて、各チャネルのパラメータ条件に基づいてチャネルタイプを自律的に判別できるようにした。【選択図】        図１
2006121409.tif 000002
【特許請求の範囲】
【請求項１】
一部又は全ての送信レートに対するチャネル復号結果に基づき送信レートを判定可能な基準型チャネル、前記基準型チャネルの送信レート判定結果に基づき送信レートを決定可能な従属型チャネル、送信側の選択した送信レートに関わらず常に特定の送信レートでチャネル復号を行う単一レート型チャネルが多重された多重チャネルからチャネル選別を行う送信レート判定方法において、
チャネルパラメータと多重チャネル数とに基づき多重チャネルの中から基準型チャネルを選別し、基準型チャネル番号を生成し、次いで、生成した前記基準型チャネル番号と前記チャネルパラメータと前記多重チャネル数とに基づき多重チャネルの中から従属型チャネルを選別し、従属型チャネル番号を生成し、次いで、生成した前記基準型チャネル番号及び前記従属型チャネル番号と前記チャネルパラメータと前記多重チャネル数とに基づき多重チャネルの中から単一レート型チャネルを選別し、単一レート型チャネル番号を生成することを特徴とする送信レート判定方法。
【請求項２】
前記基準型チャネルの選別を行った結果、基準型チャネルが１つも存在しないことが判明した場合に、前記従属型チャネルの選別を行わず、前記単一レート型チャネルの選別を行うことを特徴とする請求項１に記載の送信レート判定方法。
【請求項３】
前記基準型チャネルと前記従属型チャネルと前記単一レート型チャネルの選別を行った結果、どのチャネル型にも適合しないチャネルが存在した場合に、当該チャネルに対するチャネル復号を行わないことを特徴とする請求項１又は請求項２に記載の送信レート判定方法。
【請求項４】
前記基準型チャネルの選別において所定数より多い基準型チャネルを選別した場合に、選別した全ての基準型チャネルに対してチャネル復号を行うことを特徴とする請求項１から請求項３のいずれかに記載の送信レート判定方法。
【請求項５】
前記基準型チャネルの選別において２つ以上の基準型チャネルを選別した場合に、前記従属型チャネルの選別において少なくとも１つの基準型チャネルに対して従属関係を有する従属型チャネルを選別すると、該従属型チャネルに対して、それ以外の基準型チャネルに対する従属関係の有無の検査を行わないことを特徴とする請求項１から請求項４のいずれかに記載の送信レート判定方法。
【請求項６】
前記基準型チャネルの選別において２つ以上の基準型チャネルを選別した場合に、前記従属型チャネルの選別において少なくとも１つの基準型チャネルに対して従属関係を有する従属型チャネルを選別すると、該従属型チャネルに対して、それ以外の基準型チャネルの少なくとも１つに対して従属関係の有無の検査を行うことを特徴とする請求項１から請求項４のいずれかに記載の送信レート判定方法。
【請求項７】
前記基準型チャネルの選別において基準型チャネルを選別した結果、全てのチャネルが基準型チャネルであった場合に、前記従属型チャネルと前記単一レート型チャネルの選別を行わないことを特徴とする請求項１から請求項６のいずれかに記載の送信レート判定方法。
【請求項８】
前記基準型チャネルと前記従属型チャネルの選別において基準型チャネルと従属型チャネルを選別した結果、全てのチャネルが基準型チャネル又は従属型チャネルのいずれかを選別した場合に、前記単一レート型チャネルの選別を行わないことを特徴とする請求項１から請求項７のいずれかに記載の送信レート判定方法。
【請求項９】
各チャネルの送信レートの組み合わせが１つだけの場合、前記基準型チャネルと前記従属型チャネルと前記単一レート型チャネルの選別を行わないことを特徴とする請求項１から請求項８のいずれかに記載の送信レート判定方法。
【請求項１０】
前記基準型チャネル番号と前記受信データとに基づき基準型チャネルのチャネル復号を行い、基準型チャネルの送信レート判定結果と基準型チャネル復号データを生成し、次いで、前記従属型チャネル番号と前記受信データと前記基準型チャネルの送信レート判定結果とに基づき従属型チャネルのチャネル復号を行い、従属型チャネル復号データを生成し、次いで、前記単一レート型チャネル番号と前記受信データとに基づき単一レート型チャネルのチャネル復号を行い、単一レート型チャネル復号データを生成することを特徴とする請求項１から請求項８のいずれかに記載の送信レート判定方法。
【請求項１１】
前記基準型チャネル復号により得られる一部又は全ての送信レートに対するチャネル復号結果に基づき、基準型チャネルの送信レートを判定することを特徴とする請求項１０に記載の送信レート判定方法。
【請求項１２】
前記基準型チャネルの送信レート判定により得られる基準型チャネルの送信レートに基づき、従属型チャネルの送信レートを決定することを特徴とする請求項１０又は請求項１１に記載の送信レート判定方法。
【請求項１３】
前記単一レート型チャネルの復号においては、多重チャネルの送信側の選択した送信レートに関わらず常に特定の送信レートでチャネル復号することを特徴とする請求項１０から請求項１２のいずれかに記載の送信レート判定方法。
【請求項１４】
一部又は全ての送信レートに対するチャネル復号結果に基づき送信レートを判定可能な基準型チャネル、前記基準型チャネルの送信レート判定結果に基づき送信レートを決定可能な従属型チャネル、送信側の選択した送信レートに関わらず常に特定の送信レートでチャネル復号を行う単一レート型チャネルが多重された多重チャネルからチャネル選別を行う送信レート判定装置において、
チャネルパラメータと多重チャネル数とに基づき多重チャネルの中から基準型チャネルを選別し、基準型チャネル番号を生成する基準型チャネル選別手段と、
前記チャネルパラメータと前記多重チャネル数と前記基準型チャネル番号とに基づき多重チャネルの中から従属型チャネルを選別し、従属型チャネル番号を生成する従属型チャネル選別手段と、
前記チャネルパラメータと前記多重チャネル数と前記基準型チャネル番号と前記従属型チャネル番号とに基づき多重チャネルの中から単一レート型チャネルを選別し、単一レート型チャネル番号を生成する単一レート型チャネル選別手段と、
を具備することを特徴とする送信レート判定装置。
【請求項１５】
請求項１４に記載の送信レート判定装置を具備することを特徴とする移動機。
【請求項１６】
請求項１４に記載の送信レート判定装置を具備することを特徴とする基地局。
【請求項１７】
請求項１５に記載の移動機と、請求項１６に記載の基地局と、を具備することを特徴とする移動通信システム。
【発明の詳細な説明】
【技術分野】
【０００１】
本発明は、１つの送信レート又は複数の送信レートの中から選択した１つの送信レートを用いて生成されるチャネルを１個又は複数個多重して送信する通信システムに用いて好適な送信レート判定方法及び送信レート判定装置に関する。
【背景技術】
【０００２】
図５は、可変レート送信における従来の送信レート判定装置の概略構成を示すブロック図である。この図において、基準型チャネル復号部２０５と、従属型チャネル復号部２０６と、単一レート型チャネル復号部２０７とを備えており、基準型チャネル復号部２０５は、基準型チャネル番号と受信データに基づいて基準型チャネル復号データを生成し、従属型チャネル復号部２０６は、従属型チャネル番号と受信データに基づいて従属型チャネル復号データを生成し、単一レート型チャネル復号部２０７は、単一レート型チャネル番号と受信データに基づいて単一レート型チャネル復号データを生成する。
【０００３】
ここで、多重されたチャネルの各チャネルが基準型チャネル、従属型チャネル、単一レート型チャネルのいずれのチャネルタイプに属するかは送信側から事前に明示的に与えられるか、もしくは受信側においてチャネル組み合わせパターンに対して予め事前情報を用意される。
【特許文献１】特表２００１−５０３２３４（Ｐ２００１−５０３２３４Ａ）号公報
【発明の開示】
【発明が解決しようとする課題】
【０００４】
しかしながら、従来の送信レート判定装置においては、次のような問題がある。
すなわち、各チャネルがいずれのチャネルタイプに属するかは送信側から事前に明示的に与えられず、受信側においてチャネル組み合わせパターン毎に予め用意しておく場合には、チャネルの組み合わせパターンが増加して必要とされる事前情報が増大し、これにより回路規模の増大を招くことになる。
【０００５】
本発明はかかる点に鑑みてなされたものであり、各チャネルが基準型チャネル、従属型チャネル、単一レート型チャネルのどのタイプに該当するか予め事前情報を用意することなく各チャネルの送信レート判定及びチャネル復号を行うことができる送信レート判定方法及び送信レート判定装置を提供することを目的とする。
【課題を解決するための手段】
【０００６】
本発明の送信レート判定方法は、一部又は全ての送信レートに対するチャネル復号結果に基づき送信レートを判定可能な基準型チャネル、前記基準型チャネルの送信レート判定結果に基づき送信レートを決定可能な従属型チャネル、送信側の選択した送信レートに関わらず常に特定の送信レートでチャネル復号を行う単一レート型チャネルが多重された多重チャネルからチャネル選別を行う送信レート判定方法において、チャネルパラメータと多重チャネル数とに基づき多重チャネルの中から基準型チャネルを選別し、基準型チャネル番号を生成し、次いで、生成した前記基準型チャネル番号と前記チャネルパラメータと前記多重チャネル数とに基づき多重チャネルの中から従属型チャネルを選別し、従属型チャネル番号を生成し、次いで、生成した前記基準型チャネル番号及び前記従属型チャネル番号と前記チャネルパラメータと前記多重チャネル数とに基づき多重チャネルの中から単一レート型チャネルを選別し、単一レート型チャネル番号を生成するようにする。
【０００７】
本発明の送信レート判定装置は、一部又は全ての送信レートに対するチャネル復号結果に基づき送信レートを判定可能な基準型チャネル、前記基準型チャネルの送信レート判定結果に基づき送信レートを決定可能な従属型チャネル、送信側の選択した送信レートに関わらず常に特定の送信レートでチャネル復号を行う単一レート型チャネルが多重された多重チャネルからチャネル選別を行う送信レート判定装置において、チャネルパラメータと多重チャネル数とに基づき多重チャネルの中から基準型チャネルを選別し、基準型チャネル番号を生成する基準型チャネル選別手段と、前記チャネルパラメータと前記多重チャネル数と前記基準型チャネル番号とに基づき多重チャネルの中から従属型チャネルを選別し、従属型チャネル番号を生成する従属型チャネル選別手段と、前記チャネルパラメータと前記多重チャネル数と前記基準型チャネル番号と前記従属型チャネル番号とに基づき多重チャネルの中から単一レート型チャネルを選別し、単一レート型チャネル番号を生成する単一レート型チャネル選別手段と、を具備する構成を採る。
【発明の効果】
【０００８】
本発明によれば、各チャネルが基準型チャネル、従属型チャネル、単一レート型チャネルのどのタイプに該当するか予め事前情報を用意することなく各チャネルの送信レート判定及びチャネル復号を行うことができる。
【発明を実施するための最良の形態】
【０００９】
以下、本発明の実施の形態について、図面を参照して詳細に説明する。
【００１０】
図１は、本発明の一実施の形態に係る送信レート判定装置の構成を示すブロック図である。この図において、本実施の形態の送信レート判定装置は、基準型チャネル選別部１０４と、従属型チャネル選別部１０５と、単一レート型チャネル選別部１０６と、基準型チャネル復号部１１０と、従属型チャネル復号部１１１と、単一レート型チャネル復号部１１２とを備えている。この送信レート判定装置は、携帯電話などの移動機や移動通信システムの基地局などに用いられるものである。
【００１１】
基準型チャネル選別部１０４は、チャネルパラメータＣＰと多重チャネル数ＭＣＮに基づき多重チャネルの中から基準型チャネルを選別し、基準型チャネル番号ＢＣＮを生成する。従属型チャネル選別部１０５は、チャネルパラメータＣＰと多重チャネル数ＭＣＮと基準型チャネル番号ＢＣＮに基づき多重チャネルの中から従属型チャネルを選別し、従属型チャネル番号ＳＣＮを生成する。単一レート型チャネル選別部１０６は、チャネルパラメータＣＰと多重チャネル数ＭＣＮと基準型チャネル番号ＢＣＮと従属型チャネル番号ＳＣＮに基づき多重チャネルの中から単一レート型チャネルを選別し、単一レート型チャネル番号ＳＲＣＮを生成する。
【００１２】
基準型チャネル復号部１１０は、基準型チャネル番号ＢＣＮと受信データＲＤに基づき基準型チャネルのチャネル復号を行い、基準型チャネルの送信レート判定結果ＳＲＧと基準型チャネル復号データＢＣＣＤを生成する。従属型チャネル復号部１１１は、従属型チャネル番号ＳＣＮと受信データＲＤと基準型チャネルの送信レート判定結果ＳＲＧに基づき従属型チャネルのチャネル復号を行い、従属型チャネル復号データＳＣＣＤを生成する。単一レート型チャネル復号部１１２は、単一レート型チャネル番号ＳＲＣＮと受信データＲＤに基づき単一レート型チャネルのチャネル復号を行い、単一レート型チャネル復号データＳＲＣＣＤを生成する。
【００１３】
次に、図２〜図５を用いて上記構成の送信レート判定装置の動作について説明する。
【００１４】
図２は、各チャネルにおいて送信側が使用する送信レートの構成例を示す図である。この図において、多重チャネル数をＮとしたとき、チャネル＃ｉ (1≦ｉ≦N)はレート＃１からレート＃Ｍ_ｉのＭ_ｉ個の送信レートを有するものとする。ここで、Ｍ_ｉは１以上の正整数とする。また、各チャネルの送信レート数は必ずしも等しい必要はない。また、異なるチャネル間の同一レート番号は必ずしも同一送信レートである必要はない。
【００１５】
図３は、基準型チャネルの構成条件例に対する基準型チャネル選別部１０４の動作を説明するためのフローチャートである。
まず、チャネルパラメータが畳み込み符号を用いたチャネルかどうか判定する（ステップＳ１０）。この判定において、畳み込み符号を用いたチャネルでない場合は基準型チャネルでないと判定し（ステップＳ１１）、そうである場合即ち畳み込み符号を用いたチャネルである場合は、全ての送信レートにおいてＣＲＣビット数が「０」でないかどうか判定する（ステップＳ１２）。
【００１６】
この判定において、全ての送信レートにおいてＣＲＣビット数が「０」である場合は、基準型チャネルでないと判定し（ステップＳ１１）、そうでない場合即ち全ての送信レートにおいてＣＲＣビット数が「０」でない場合は、全ての送信レートにおいてトランスポートブロック(Transport Block)数が「０」でないかどうか判定する（ステップＳ１３）。この判定において、少なくとも１つの送信レートにおいてトランスポートブロック数が「０」である場合は、基準型チャネルでないと判定し（ステップＳ１１）、そうでない場合即ち全ての送信レートにおいてトランスポートブロック数が「０」でない場合は、全ての送信レートにおいてコードブロック(Code Block)数が「１」以下かどうか判定する（ステップＳ１４）。
【００１７】
この判定において、少なくとも１つの送信レートにおいてコードブロック数が「１」以下でない場合は、基準型チャネルでないと判定し（ステップＳ１１）、そうでない場合即ち全ての送信レートにおいてコードブロック数が「１」以下である場合は、トランスポートブロック数が１個以上の送信レート数が２個以上存在するかどうか判定する（ステップＳ１５）。この判定において、トランスポートブロック数が１個以上の送信レート数が２個以上存在しない場合は、基準型チャネルでないと判定し（ステップＳ１１）、そうでない場合即ち２個以上存在する場合は、基準型チャネルであると判定する（ステップＳ１６）。
【００１８】
このように、基準型チャネル選別部１０４は基準型チャネルの各構成条件が真であるか否か（ＹＥＳかＮＯ）をチャネルパラメータに基づいて判断し、全ての構成条件が真である場合（ＹＥＳである場合）に基準型チャネルであると判定する。
【００１９】
次に、図４を参照して基準型チャネルと従属型チャネルの関係について説明する。
多重されたチャネルの中で、あるチャネル＃Ｂの送信レートが、チャネル＃Ｂとは異なるチャネル＃Ａの送信レートから一意に決定することのできる関係にあり、かつ、チャネル＃Ｂの送信レートは単独で決定することが不可能であるとき、チャネル＃Ａを基準型チャネル、チャネル＃Ｂを従属型チャネルと呼ぶ。
【００２０】
図４の例（１）及び例（２）は、基準型チャネルと従属型チャネルの関係を持ったチャネル構成の例である。例（１）は、チャネル＃Ａがレート＃ａで送信される時はチャネル＃Ｂは必ずレート＃ｂで送信されることを意味している。この場合、チャネル＃Ａの送信レートがレート＃ａであることが判明すれば、チャネル＃Ｂの送信レートはレート＃ｂであると一意に決定される。
【００２１】
例（２）は、チャネル＃Ａがレート＃ａ又はレート＃ｂで送信される時は、チャネル＃Ｂは必ずレート＃ｃで送信されることを意味している。この場合、チャネル＃Ａの送信レートがレート＃ａ又はレート＃ｂであることが判明すれば、チャネル＃Ｂの送信レートはレート＃ｃであると一意に決定される。
【００２２】
例（３）は、基準型チャネルと従属型チャネルの関係を持っていないチャネル構成の例である。チャネル＃Ａがレート＃ａで送信される時はチャネル＃Ｂはレート＃ｂ又はレート＃ｃで送信されることを意味している。この場合、チャネル＃Ａの送信レートがレート＃ａであることが判明しても、チャネル＃Ｂの送信レートはレート＃ｂかレート＃ｃのいずれかであるという情報しか得られず、チャネル＃Ｂの送信レートを一意に決定することができない。
【００２３】
このように本実施の形態の送信レート判定装置によれば、一部又は全ての送信レートに対するチャネル復号結果に基づき送信レートを判定可能な基準チャネルを選別する基準型チャネル選別部１０４と、基準型チャネル選別部１０４で選別されたチャネルの送信レート判定結果に基づき送信レートを決定可能な従属型チャネルを選別する従属型チャネル選別部１０５と、送信側の選択した送信レートに関わらず常に特定の送信レートでチャネル復号を行う単一レート型チャネルを選別する単一レート型チャネル選別部１０６とを備え、各チャネルのパラメータ条件に基づいてチャネルタイプを自律的に判別できるようにしたので、多重された各チャネルが基準型チャネル、従属型チャネル、単一レート型チャネルのどのタイプに該当するかを送信側から通知されない場合に、各チャネルがどのタイプに該当するかを示す事前情報をチャネルの組み合わせパターン毎に用意することなく各チャネルの送信レート判定およびチャネル復号を行うことが可能となる。
【００２４】
なお、上記実施の形態において、基準型チャネルの選別を行った結果、基準型チャネルが１つも存在しないことが判明した場合に、従属型チャネルの選別を行わず、単一レート型チャネルの選別を行うようにしても良い。
【００２５】
また、上記実施の形態において、基準型チャネルと従属型チャネルと単一レート型チャネルの選別を行った結果、どのチャネル型にも適合しないチャネルが存在した場合に、当該チャネルに対するチャネル復号を行わないようにしても良い。
【００２６】
また、上記実施の形態において、基準型チャネルの選別において所定数より多い基準型チャネルを選別した場合に、選別した全ての基準型チャネルに対してチャネル復号を行うようにしても良い。
【００２７】
また、上記実施の形態において、基準型チャネルの選別において２つ以上の基準型チャネルを選別した場合に、従属型チャネルの選別において少なくとも１つの基準型チャネルに対して従属関係を有する従属型チャネルを選別すると、該従属型チャネルに対して、それ以外の基準型チャネルに対する従属関係の有無の検査を行わないようにしても良い。
【００２８】
また、上記実施の形態において、基準型チャネルの選別において２つ以上の基準型チャネルを選別した場合に、従属型チャネルの選別において少なくとも１つの基準型チャネルに対して従属関係を有する従属型チャネルを選別すると、該従属型チャネルに対して、それ以外の基準型チャネルの少なくとも１つに対して従属関係の有無の検査を行うようにしても良い。
【００２９】
また、上記実施の形態において、基準型チャネルの選別において基準型チャネルを選別した結果、全てのチャネルが基準型チャネルであった場合に、従属型チャネルと前記単一レート型チャネルの選別を行わないようにしても良い。
【００３０】
また、上記実施の形態において、基準型チャネルと従属型チャネルの選別において基準型チャネルと従属型チャネルを選別した結果、全てのチャネルが基準型チャネル又は従属型チャネルのいずれかを選別した場合に、単一レート型チャネルの選別を行わない。
【００３１】
また、上記実施の形態において、各チャネルの送信レートの組み合わせが１つだけの場合、基準型チャネルと従属型チャネルと単一レート型チャネルの選別を行わないようにしても良い。
【産業上の利用可能性】
【００３２】
本発明は、携帯電話などの移動機や移動通信システムの基地局などに用いるに好適である。
【図面の簡単な説明】
【００３３】
【図１】本発明の一実施の形態に係る送信レート判定装置の概略構成を示すブロック図
【図２】各チャネルにおいて送信側が使用する送信レートの構成例を示す図
【図３】一実施の形態に係る送信レート判定装置の基準型チャネル選別部の動作を説明するためのフローチャート
【図４】基準型チャネルと従属型チャネルの関係の一例を示す図
【図５】従来の送信レート判定装置の概略構成を示すブロック図
【符号の説明】
【００３４】
１０４  基準型チャネル選別部
１０５  従属型チャネル選別部
１０６  単一レート型チャネル選別部
１１０  基準型チャネル復号部
１１１  従属型チャネル復号部
１１２  単一レート型チャネル復号部
ＣＰ  チャネルパラメータ
ＭＣＮ  多重チャネル数
ＢＣＮ  基準型チャネル番号
ＳＣＮ  従属型チャネル番号
ＳＲＧ  送信レート判定結果
ＳＲＣＮ  単一レート型チャネル番号
ＲＤ  受信データ
ＢＣＣＤ  基準型チャネル復号データ
ＳＣＣＤ  従属型チャネル復号データ
ＳＲＣＣＤ  単一レート型チャネル復号データ
【図１】
2006121409.tif 000003
【図２】
2006121409.tif 000004
【図３】
2006121409.tif 000005
【図４】
2006121409.tif 000006
【図５】
2006121409.tif 000007